(57)【特許請求の範囲】
【請求項１】
長手方向第１端（１４）と長手方向第２端（１６）と第１側縁（１８）と第２側縁（２０）とを有するテープ（１２）の、ライナーレスコアレステープロール（１０）において、
第１面（２６）と第２面（２８）とを有する基材層（２２）と、
前記基材層（２２）の前記第１面（２６）上の接着剤層（２４）と、
前記テープ（１２）の前記第１側縁（１８）と前記第２側縁（２０）との間で該テープの幅の少なくとも大部分に渡って延びて該テープを複数のシートに分割する複数列の穿孔群（３２）とを具備し、
前記テープが複数巻きのテープロールに形成されたものであって、該テープロールが、該テープロールを支持して該テープロールに剛性及び強度を付与するような支持材を備えないライナーレスコアレステープロールであり、
前記複数列の穿孔群のそれぞれの列は、前記テープロールの内側から見て、前記テープの各追加巻きに従って前進するように配置され、それにより、該テープの前記長手方向第１端から該テープの前記長手方向第２端へ漸増する長さを有するように前記複数のシートが形成され、それらシートをロール状に巻いたときに、該シートの各々がその下にあるシートよりもオーバーラップ長さだけ長くなっており、
前記複数のシートのうちの最外シート（３４）は、自由な前縁（３６）と、１列の前記穿孔群（３２）によって規定される後端（３８）とを有し、該最外シートが前記複数列の穿孔群の全ての列を覆うようになっており、
前記最外シート（３４）の前記後端（３８）を規定する前記１列の穿孔群（３２）は、該最外シートがそれ自体に強く接着するのを防止して、前記テープが該１列の穿孔群に平行でないダウンウェブ方向に裂ける事例を減少し、
前記複数列の穿孔群の各列における少なくともいくつかの穿孔は、接着剤をそれぞれの外側シートから離反する方向へ向けて折り畳まれた部分を具備して、わずかに盛り上がった粘着性の落ちた領域を形成していること、
を特徴とするライナーレスコアレステープロール。
【発明の詳細な説明】
技術分野
本発明は、テープロールに関する。特に、本発明は穿孔群付テープロールに関する。
発明の背景
テープの大半のロールは、その意図された目的のためにテープを使用する前に、ロールから一定の長さのテープを最初に取り外すことによって使用される。一般に、一定の長さのテープがロールから剥離され、使用のために切断される。用途によっては、テープはロール上で使用され、使用後に除去される。
リント除去テープは、ロール上で使用され、リントおよび他の小粒子を、たとえば衣類等の織物から除去する。テープは、使用後にのみロールから除去され、これを廃棄する。ロール形態において、リント除去テープは一般にコアに巻かれ、テープの接着剤側は使用のために外向きに巻かれる。リント除去テープのロールは、一般にアプリケータで使用される。様々なリント除去テープロールが公知であり、たとえば、米国特許第５，０２７，４６５号および米国特許第５，３８８，３００号に記載されている。
テープのロールは、個別のシートに除去するのを容易にするために、穿孔群があけられることが多い。穿孔群を有しロールに巻かれる材料は、押し上げられた材料により穿孔群がロールにハイスポットを作るため、波状になり、よじれる。ロールの穿孔群を整合して、各列の穿孔群が実質的に半径方向にその下のシートの各列の穿孔群の上になると、ロールに塊ができる。６０シートのロールでは、高さ０．６３ｃｍ（０．２５インチ）を超える塊を形成する可能性がある。このためロールは丸くなくなり、ロールをほどいて使用することが困難になる。
また、整合した穿孔群では、ユーザがどのシートを掴んでシートを除去するかを決定するのが困難になる。ユーザは、２枚以上のシートを掴むことがあり、材料を無駄にし、材料をダウンウェブの長手方向に不適切に引き裂くことが多い。シートが等しい長さを有し、外側シートが隣接する内側シートを必ずしも覆わない場合、整合した穿孔群がなくとも、不適切な引き裂きが発生する。改良されたクロスウェブ方向の引き裂き性を有する穿孔群付テープロールの必要性がある。
発明の開示
一定の長さのテープが、長手方向第１端と、長手方向第２端と、第１側縁と、第２側縁と、を有する。テープは、基材層と、この基材層の上に接着剤層とを含む。テープは、複数巻きのロールに形成することができる。
複数列の穿孔群が、第１側縁と第２側縁との間でテープの幅の少なくとも大部分に渡って延び、テープを複数のシートに分割する。シートは、シートがロールに巻かれるときに各シートがその下にあるシートより長くなるように、第１端から第２端へ長さが漸増する。
テープがロールを形成するときに、最外シートは、自由な前縁と、１列の穿孔群によって規定される後端とを有する。最外シートは全ての列の穿孔群を覆う。最外シートの後端を規定する１列の穿孔群は、最外シートがそれ自体に強く接着するのを防止する。これによって、テープがダウンウェブ方向に裂ける事例を減少する。
【図面の簡単な説明】
図１は、本発明のテープのロールの斜視図である。
図２は、テープの一部の上面図である。
図３は、図２のテープの側面図である。
図４は、図１のテープのロールの側面図である。
詳細な説明
図１〜３は、リント除去テープ１２のロール１０を示す。図２に示されるように、テープ１２は、長手方向第１端１４と、長手方向第２端１６と、第１側縁１８と、第２側縁２０と、を有する。図３に示されるように、テープは、少なくとも２つの層、すなわち、基材層２２と接着剤層２４とから形成され、いずれの公知の材料から作ることができる。テープは、複数巻きのロールに形成することができる。
基材層２２は、第１面２６と第２面２８とを有し、たとえば、紙またはプラスチックフィルムから形成することができる。適切な紙基材として、飽和フラットストックおよびクレープが挙げられる。適切なプラスチックフィルム基材として、ポリプロピレン、ポリエチレン、ポリプロピレンとポリエチレンとのコポリマー、ポリエステルおよびビニルアセテートが挙げられる。ポリプロピレンは、二軸延伸ポリプロピレン（ＢＯＰＰ）であってもよく、または、同時二軸延伸ポリプロピレン（ＳＢＯＰＰ）であってもよい。基材材料は、堆肥にすることができ、化学分解可能であり、着色され、印刷されることが可能であり、表面の肌理が異なってもよく、またはエンボスされてもよい。
接着剤層２４は、基材層２２の第１面２６上に置かれる。接着剤層は第１面全体に置かれてもよく、または、基材層には側縁の一方または両方に沿って接着剤が塗布されなくともよい。あるいは、側縁には接着剤が塗布されてもよく、次いで、たとえば、ワックス、ラッカーまたはインクを使用することによって粘着性を落とすことができる。
接着剤は、ホットメルト塗布配合物、トランスファー塗布配合物、溶剤塗布配合物、およびラテックス配合物を含むことができる。本発明による有用な接着剤として、すべての感圧接着剤が挙げられる。感圧接着剤は通常常温で粘性を有し、せいぜい指で軽く押すことによって表面に接着することができる。本発明に有用な接着剤の例として、ポリアタリレート；ポリビニルエーテル；天然ゴム、ポリイソプレンおよびポリイソブチレン等のジエン含有ゴム；ポリクロロプレン；ブチルゴム；ブタジエン−アクリロニトリルポリマー；熱可塑性エラストマー；スチレン−イソプレンとスチレン−イソプレン−スチレンとのブロックコポリマー、エチレン−プロピレン−ジエンポリマーおよびスチレン−ブタジエンポリマー等のブロックコポリマー；ポリ−アルファ−オレフィン；アモルファスポリオレフィン；シリコーン；エチレンビニルアセテート、エチレンアクリレートおよびエチルメタクリレート等のエチレン含有コポリマー；ポリウレタン；ポリアミド；エポキシ；ポリビニルピロリドンとビニルピロリドンとのコポリマー；ポリエステルおよび上記の混合物等の一般組成物に基づくものが挙げられる。さらに、接着剤は、粘着付与剤、可塑剤、充填剤、酸化防止剤、安定剤、顔料、拡散粒子、硬化剤および溶剤等の添加剤を含むことができる。
有用な感圧接着剤の一般的な説明は、Encyclopedia of Polymer Science and Engineering（ポリマーサイエンスおよびエンジニアリングの百科事典）第１３巻、ワイリー−インターサイエンスパブリッシャーズ（Wiley-Interscience Publishers）（ニューヨーク、１９８８）に記載されている。有用な感圧接着剤のさらなる説明は、Encyclopedia of Polymer Science and Technology（ポリマーサイエンスおよびテクノロジーの百科事典）第１巻、インターサイエンスパブリッシャーズ（Interscience Publishers）（ニューヨーク、１９６４）に記載されている。
テープ１２は、複数巻きのロール１０に形成され、接着剤層２４は、テープをそれ自体のみに巻くことによって外側に向く。コア、ライナー、またはテープのロールを支持しこれを剛性および強度を与えることができるいずれの他の材料等の支持材料は、任意である。例示した実施態様では、何も使用していない。
テープのロール１０は、第３の層も含むことができる。低接着裏面（ＬＡＢ）層３０を基材層２２の第２面２８上に形成することができ、テープの外側ラップをロール１０から取り除くことが容易になる。適切なＬＡＢ層として、シリコーン、フルオロケミカル、アクリレートおよびポリビニルアセテートが挙げられる。たとえば下塗剤等の数多くの他の層をテープに加えることができ、接着剤層２４の基材層２２への接着を強化する。また、印刷された材料を接着剤の下で基材層の第１側に位置することができ、または、ＬＡＢ層３０の上または下で基材層の第２側に位置することができる。この印刷された材料は、宣伝、指示または他の情報であってもよい。テープは、消臭剤、香料、帯電防止材料および封入洗浄薬品を含むことができる。また、基材層２２は、火炎処理、コロナ処理および荒引きによって変性することができる。
複数列の穿孔群３２がテープを別個のシートに分割し、テープの外側ラップをロール１０から取り除くのを助ける。穿孔群３２は、テープ１２がロール１０に形成される前に作られる。各シートは、第１および第２側縁１８、２０と、２列の隣接する穿孔群３２とによって規定される。
第１側縁１８と第２側縁２０との間でテープ１２の幅の少なくとも大部分に渡ってｎ列の穿孔群３２が延在し、テープをｎ＋１枚のシートに分割する。複数列の穿孔群３２が、テープの幅に部分的にまたは完全に渡って延在することができる。シートは、シートがロールに巻かれるときに各シートがその下のシートよりも長くなるように、長手方向第１端１４から長手方向第２端１６へ長さが漸増する。
テープ１２がロール１０を形成するときに、最外シート３４は、自由な前縁３６と、１列の穿孔群３２によって規定される後端３８とを有する。図４に示されるように、最外シート３４は全ての列の穿孔群３２を覆う。ロール１０の内側から始めると、各列の穿孔群３２は、テープの各追加巻きに従って進むと言うことができる。テープがロールに巻かれるときに、各シートはその前のシートを完全に覆う。
最外シートの後端を規定する穿孔群は、最外シートがそれ自体に強く接着するのを防止する。これによって、テープが穿孔群に平行でないダウンウェブ方向に裂ける事例を減少する。これは、穿孔群が粘着性の落ちた領域として作用するため、発生する。１つの実施態様において（たとえば、穿孔群あけナイフがテープのダウンウェブ方向により長い面を有するような実施態様）、穿孔群あけ過程の間に、各列の少なくともいくつかの穿孔群は材料上に折り畳まれ（接着剤を外側シートから離して下へ向ける）、わずかに盛り上がり、穴を有する。これらの特徴は、個別におよび組み合わせて、粘着性の落ちた領域として作用する。また、引張ロールが過駆動され、穿孔群付領域を細長くし、より大きな粘着性の落ちた領域を作る。このようにして、最外シートの下にある１列の穿孔群（これは最外シートの後端を規定する）はこのシートを取り外すのを助ける。
およそ０．３１７５ｃｍ（０．１２５インチ）のオーバーラップ（後端３８の穿孔群が最外シート３４の前縁３６の後ろにある距離）が、よく作用して、引き裂き性を助ける。１．２７０ｃｍ（０．５００インチ）を超えるオーバーラップ、または、アンダーラップ（後端３８の穿孔群が最外シート３４の前縁３６に先んずる距離）は、引き裂き性を助けない。
いずれの数の穿孔群を使用して１列としてもよく、また、穿孔群にはいずれの形状および長さを使用してもよい。高性能運動制御システムを使用する穿孔群付け器は、長さが長くなるシートを作るよう設計することができる。制御システムは、穿孔群付け器の速度を変えて、必要な長さを連続シートに加える。この長さは、所望のシート数が得られるまで、加えられる。制御システムは、次いで、シート数および長さを、新しいロールの開始へ自動的に再設定する。オーバーラップの長さがおよそ０．３１７５ｃｍ（０．１２５インチ）であると、各シートは、その前のシートより０．３１７５ｃｍ＋０．０７６ｃｍ（０．１２５インチ＋０．０３０インチ）長くなる。０．０７６ｃｍ（０．０３０インチ）（これは、テープの厚さの２倍のπ倍）が加えられて、テープが巻かれるときのより大きなロール直径を補償する（テープ幅は０．０１２２ｃｍ（０．００４８インチ）であり開始直径は４．４５ｃｍ（１．７５インチ）である）。
本発明の範囲または精神から逸脱することなく、本発明に様々な変更および修正を加えることが可能である。たとえば、例示した実施態様は、リント除去テープのコアのないロールを示すが、本発明は、リント除去テープのコアロール、テープが接着剤側の外に巻かれた他のロールまたはテープが接着剤側の内に巻かれたロールとともに使用することができる。
【図１】
0003943141.tif 000002
【図２】
0003943141.tif 000003
【図３】
0003943141.tif 000004
【図４】
0003943141.tif 000005